(57)【特許請求の範囲】
【請求項１】
再生可能エネルギー公益事業規模電力システムであって、
高電圧再生可能エネルギーハーベスティングネットワークを備え、
該高電圧再生可能エネルギーハーベスティングネットワークは、
複数列の光電池モジュールにして、各光電池モジュールがＤＣ出力部を有する複数列の光電池モジュールと、
複数の太陽エネルギーオプティマイザ及び送信機にして、各太陽エネルギーオプティマイザ及び送信機が、前記複数列の光電池モジュールの少なくとも１つのＤＣ出力部に接続する少なくとも１列の太陽エネルギーオプティマイザ入力部を有し、前記複数の太陽エネルギーオプティマイザ及び送信機各々が、プラスＤＣリンク及びマイナスＤＣリンクを有するＤＣリンクに接続する共通出力部を基準とするプラス高電圧ＤＣ出力部及びマイナス高電圧ＤＣ出力部を有し、前記プラス高電圧ＤＣ出力部が前記プラスＤＣリンクに接続し、前記マイナス高電圧ＤＣ出力部が前記マイナスＤＣリンクに接続し、前記共通出力部が前記ＤＣリンクの共通部に接続し、前記複数の太陽エネルギーオプティマイザ及び送信機各々が、可変周波数制御共鳴インバータを持つ少なくとも一つのＤＣ−ＤＣコンバータを有し、前記可変周波数制御共鳴インバータが、前記ＤＣ出力部に接続する共鳴インバータ入力部と、絶縁変圧器により整流器の入力部に接続する共鳴インバータ出力部とを有し、前記整流器が、プラス整流出力部及びマイナス整流出力部に接続する出力部を有し、前記プラス整流出力部及びマイナス整流出力部が前記ＤＣリンクに接続する複数の太陽エネルギーオプティマイザ及び送信機と、
複数のグリッドインバータパッケージモジュールを有する中央グリッド同期多相調整電流源インバータシステムにして、前記複数のグリッドインバータパッケージモジュール各々が、前記ＤＣリンクに接続する入力部を有する中央グリッド同期多相調整電流源インバータシステムとを備える再生可能エネルギー公益事業規模電力システム。
【請求項２】
前記少なくとも一つのＤＣ−ＤＣコンバータ各々は、
４つのＤＣ−ＤＣコンバータにして、該４つのＤＣ−ＤＣコンバータが第１ＤＣ−ＤＣコンバータ別個組及び第２ＤＣ−ＤＣコンバータ別個組を備え、該４つのＤＣ−ＤＣコンバータ各々は、前記少なくとも１列の太陽エネルギーオプティマイザ入力部各々に接続される光電池列インバータ入力部と、プラス整流出力部及びマイナス整流出力部とを有し、前記第１ＤＣ−ＤＣコンバータ別個組が前記プラスＤＣリンクに並列に接続される前記プラス整流出力部を有し、前記第２ＤＣ−ＤＣコンバータ別個組は前記マイナスＤＣリンクに並列に接続されるマイナス整流出力部を有し、前記第１ＤＣ−ＤＣコンバータ別個組の前記マイナス整流出力部と第２ＤＣ−ＤＣコンバータ別個組のプラス整流出力部はＤＣリンクの前記共通部に共に共通に接続される４つのＤＣ−ＤＣコンバータと、
前記４つのＤＣ−ＤＣコンバータ各々の光電池列インバータ入力部における光電池列インバータ入力電圧及び光電池列インバータ入力電流を検出及び監視するため、及び、前記４つのＤＣ−ＤＣコンバータ各々を最大電力点へと制御するためのプロセッサと、
前記複数の太陽エネルギーオプティマイザ及び送信機からの複数の高電圧再生可能エネルギーハーベスティングネットワークデータ、及び複数の中央グリッド同期多相調整電流源インバータシステムデータの送信及び受信のためのアンテナに接続されるトランシーバとを備える請求項１の再生可能エネルギー公益事業規模電力システム。
【請求項３】
前記ＤＣリンクは、
複数の太陽エネルギーオプティマイザ及び送信機水平バスにして、前記複数の太陽エネルギーオプティマイザ及び送信機水平バス各々が前記プラス高電圧ＤＣ出力部と、前記マイナス高電圧ＤＣ出力部と、前記複数の太陽エネルギーオプティマイザ及び送信機から選択された別個の複数の太陽エネルギーオプティマイザ及び送信機の共通出力部とを有する複数の太陽エネルギーオプティマイザ及び送信機水平バスと、
複数の太陽エネルギーオプティマイザ及び送信機垂直バスにして、前記複数の太陽エネルギーオプティマイザ及び送信機水平バス各々が前記複数の太陽エネルギーオプティマイザ及び送信機垂直バスの別個の一つに接続される複数の太陽エネルギーオプティマイザ及び送信機垂直バスとを備え、
前記再生可能エネルギー公益事業規模電力システムは、中央制御システムを更に備え、該中央制御システムは、
前記複数の太陽エネルギーオプティマイザ及び送信機水平バスに接続された前記複数の太陽エネルギーオプティマイザ及び送信機及び前記複数のグリッドインバータパッケージモジュール間で、複数の高電圧再生可能エネルギーハーベスティングネットワークデータを通信するための手段と、
複数の高電圧再生可能エネルギーハーベスティングネットワークデータ及び複数の中央グリッド同期多相調整電流源インバータシステムデータを送信及び受信するための手段とを備える請求項１の再生可能エネルギー公益事業規模電力システム。
【請求項４】
前記プロセッサは、前記可変周波数制御共鳴インバータの動作周波数を変えることにより、前記４つのＤＣ−ＤＣコンバータ各々を最大電力点へと制御する請求項２の再生可能エネルギー公益事業規模電力システム。          
【請求項５】
高電圧再生可能エネルギーハーベスティングネットワークを備える公益事業規模再生可能エネルギーシステムからの再生可能エネルギーを取り入れ、変換し、監視し、かつ制御する方法であって、
前記高電圧再生可能エネルギーハーベスティングネットワークは、複数列の光電池モジュールにして、該複数列の光電池モジュール各々が収集器ＤＣ出力部を有する複数列の光電池モジュールと、複数のグリッドインバータパッケージモジュールを有する中央グリッド同期多相調整電流源インバータシステムとを備え、
前記方法は、前記高電圧再生可能エネルギーハーベスティングネットワーク内に分散する複数の太陽エネルギーオプティマイザ及び送信機により、前記複数列の太陽電池モジュールの収集器ＤＣ出力を最大電力点へと最適化する工程にして、該複数の太陽エネルギーオプティマイザ及び送信機各々が、プラスＤＣリンク及びマイナスＤＣリンクを有するＤＣリンクに接続される共通出力部を基準とするプラス高電圧ＤＣ出力部及びマイナス高電圧ＤＣ出力部を有し、前記プラス高電圧ＤＣ出力部が前記プラスＤＣリンクに接続され、前記マイナス高電圧ＤＣ出力部が前記マイナスＤＣリンクに接続され、前記共通出力部が前記ＤＣリンクの共通部に接続され、太陽エネルギーオプティマイザ及び送信機各々が、可変周波数制御共鳴インバータを持つ少なくとも一つのＤＣ−ＤＣコンバータを有し、前記可変周波数制御共鳴インバータが、収集器ＤＣ出力部の少なくとも一つに接続される共鳴インバータ入力部と、絶縁変圧器により整流器の出力部に接続される共鳴インバータ出力部とを有し、前記整流器が、プラス整流出力部及びマイナス整流出力部に接続される出力部を有し、前記プラス整流出力部及びマイナス整流出力部がＤＣ出力部により前記ＤＣリンクに接続される該工程と、
前記複数の太陽エネルギーオプティマイザ及び送信機の前記ＤＣ出力部をＤＣリンクにより中央グリッド同期多相調整電流源インバータシステムに接続する工程とを含む方法。
【請求項６】
再生可能エネルギー公益事業規模電力システムであって、
高電圧再生可能エネルギーハーベスティングネットワークを備え、
該高電圧再生可能エネルギーハーベスティングネットワークは、
複数列の光電池モジュールにして、各光電池モジュールが列ＤＣ出力部を有する複数列の光電池モジュールと、
複数の太陽エネルギーオプティマイザ及び送信機にして、各太陽エネルギーオプティマイザ及び送信機が、前記複数列の光電池モジュールの少なくとも１つの列ＤＣ出力部に接続する少なくとも１列の太陽エネルギーオプティマイザ入力部を有し、前記複数の太陽エネルギーオプティマイザ及び送信機各々が、プラスＤＣリンク及びマイナスＤＣリンクを有するＤＣリンクに接続する共通出力部を基準とするプラス高電圧ＤＣ出力部及びマイナス高電圧ＤＣ出力部を有し、前記プラス高電圧ＤＣ出力部が前記プラスＤＣリンクに接続し、前記マイナス高電圧ＤＣ出力部が前記マイナスＤＣリンクに接続し、前記共通出力部が前記ＤＣリンクの共通部に接続し、前記複数の太陽エネルギーオプティマイザ及び送信機各々が、可変周波数制御共鳴インバータを持つ少なくとも一つのＤＣ−ＤＣコンバータを有し、前記可変周波数制御共鳴インバータが、前記列ＤＣ出力部に接続する共鳴インバータ入力部と、絶縁変圧器により整流器の入力部に接続する共鳴インバータ出力部とを有し、前記整流器が、前記ＤＣリンクに接続される高電圧ＤＣ出力部に対するプラス整流出力部に接続される出力部を有する複数の太陽エネルギーオプティマイザ及び送信機とを備え、
前記ＤＣリンクは、
複数の太陽エネルギーオプティマイザ及び送信機水平バスにして、前記複数の太陽エネルギーオプティマイザ及び送信機水平バス各々が前記プラス高電圧ＤＣ出力部と、前記マイナス高電圧ＤＣ出力部と、前記複数の太陽エネルギーオプティマイザ及び送信機から選択された別個の複数の太陽エネルギーオプティマイザ及び送信機の共通出力部とを有する複数の太陽エネルギーオプティマイザ及び送信機水平バスと、
複数の太陽エネルギーオプティマイザ及び送信機垂直バスにして、前記複数の太陽エネルギーオプティマイザ及び送信機水平バス各々が前記複数の太陽エネルギーオプティマイザ及び送信機垂直バスの別個の一つに接続される複数の太陽エネルギーオプティマイザ及び送信機垂直バスとを備え、
該再生可能エネルギー公益事業規模電力システムは、
複数のグリッドインバータパッケージモジュールを有する中央グリッド同期多相調整電流源インバータシステムにして、前記複数のグリッドインバータパッケージモジュール各々が、前記ＤＣリンクに対する入力部を有する中央グリッド同期多相調整電流源インバータシステムと、
前記高電圧再生可能エネルギーハーベスティングネットワークと、前記複数の太陽エネルギーオプティマイザ及び送信機水平バスに接続される前記複数の太陽エネルギーオプティマイザ及び送信機と、前記中央グリッド同期多相調整電流源インバータシステムとを監視及び制御するためのバーチャル投入監視システム及び中央制御システムとを備える再生可能エネルギー公益事業規模電力システム。
【請求項７】
前記複数列の光電池モジュール各々は複数の太陽電池モジュールを備え、
前記複数の太陽エネルギーオプティマイザ及び送信機各々は、
４つのＤＣ−ＤＣコンバータにして、該４つのＤＣ−ＤＣコンバータが第１ＤＣ−ＤＣコンバータ別個組及び第２ＤＣ−ＤＣコンバータ別個組を備え、該４つのＤＣ−ＤＣコンバータ各々は、前記少なくとも１列の太陽エネルギーオプティマイザ入力部に接続される光電池列インバータ入力部と、プラス整流出力部及びマイナス整流出力部とを有し、前記第１ＤＣ−ＤＣコンバータ別個組は前記プラスＤＣリンクに並列に接続される前記プラス整流出力部を有し、前記第２ＤＣ−ＤＣコンバータ別個組は前記マイナスＤＣリンクに並列に接続されるマイナス整流出力部を有し、前記第１ＤＣ−ＤＣコンバータ別個組の前記マイナス整流出力部と第２ＤＣ−ＤＣコンバータ別個組のプラス整流出力部がＤＣリンクの前記共通部に共に共通に接続される４つのＤＣ−ＤＣコンバータと、
前記４つのＤＣ−ＤＣコンバータ各々の光電池列インバータ入力部における光電池列インバータ入力電圧及び光電池列インバータ入力電流を検出及び監視するため、及び、前記４つのＤＣ−ＤＣコンバータ各々を最大電力点へと制御するためのプロセッサと、
前記複数の太陽エネルギーオプティマイザ及び送信機からの複数の高電圧再生可能エネルギーハーベスティングネットワークデータ、及び、複数の中央グリッド同期多相調整電流源インバータシステムデータの、前記バーチャル投入監視システム及び中央制御システムへの及びからの送信及び受信のためのアンテナに接続されるトランシーバとを備える請求項６の再生可能エネルギー公益事業規模電力システム。
【請求項８】
前記中央制御システムは、
前記複数の太陽エネルギーオプティマイザ及び送信機及び前記複数のグリッドインバータパッケージモジュール間で通信するための手段と、
複数の高電圧再生可能エネルギーハーベスティングネットワークデータ及び複数の中央グリッド同期多相調整電流源インバータシステムデータを送信及び受信するための手段と、
前記バーチャル投入監視システムと通信するための手段とを備える請求項６の再生可能エネルギー公益事業規模電力システム。
【請求項９】
前記バーチャル投入監視システムは、バーチャル投入設備ウォッチドッグコンピュータシステムを備え、
該バーチャル投入設備ウォッチドッグコンピュータシステムは、
複数の高電圧再生可能エネルギーハーベスティングネットワークデータ及び複数の中央グリッド同期多相調整電流源インバータシステムデータを収集するため；
３次元視覚型バーチャルリアリティディスプレイ環境における前記複数の高電圧再生可能エネルギーハーベスティングネットワークデータ及び前記複数の中央グリッド同期多相調整電流源インバータシステムデータの視覚表示のため；及び、
前記複数列の光電池モジュールの利用可能な照射に基づく高電圧電気グリッドへの投入のための高電圧再生可能エネルギーハーベスティングネットワークからの電力出力を予測するため、のものである請求項６の再生可能エネルギー公益事業規模電力システム。
【請求項１０】
前記プロセッサは、前記可変周波数制御共鳴インバータの動作周波数を変えることにより、前記４つのＤＣ−ＤＣコンバータ各々を最大電力点へと制御する請求項７の再生可能エネルギー公益事業規模電力システム。          
【請求項１１】
高電圧再生可能エネルギーハーベスティングネットワークを備える公益事業規模再生可能エネルギーシステムからの再生可能エネルギーを取り入れ、変換し、監視し、かつ制御する方法であって、
前記高電圧再生可能エネルギーハーベスティングネットワークは、複数列の光電池モジュールにして、該複数列の光電池モジュール各々が列ＤＣ出力部を有する複数列の光電池モジュールと、
複数の太陽エネルギーオプティマイザ及び送信機にして、各太陽エネルギーオプティマイザ及び送信機が、前記複数列の光電池モジュールの少なくとも１つの前記列ＤＣ出力部に接続する少なくとも１列の電力オプティマイザ入力部を有し、前記複数の太陽エネルギーオプティマイザ及び送信機各々が、プラスＤＣリンク及びマイナスＤＣリンクを有するＤＣリンクに接続する共通出力部を基準とするプラス高電圧ＤＣ出力部及びマイナス高電圧ＤＣ出力部を有し、前記プラス高電圧ＤＣ出力部が前記プラスＤＣリンクに接続し、前記マイナス高電圧ＤＣ出力部が前記マイナスＤＣリンクに接続し、前記共通出力部が前記ＤＣリンクの共通部に接続し、前記複数の太陽エネルギーオプティマイザ及び送信機各々が、可変周波数制御共鳴インバータを持つ少なくとも一つのＤＣ−ＤＣコンバータを有し、前記可変周波数制御共鳴インバータが、前記列ＤＣ出力部に接続する共鳴インバータ入力部と、絶縁変圧器により整流器の入力部に接続する共鳴インバータ出力部とを有し、前記整流器が、プラス整流出力部及びマイナス整流出力部に接続する出力部を有し、前記プラス整流出力部及びマイナス整流出力部がＤＣリンクに接続する高電圧ＤＣ出力部を有する複数の太陽エネルギーオプティマイザ及び送信機とを備え、
前記ＤＣリンクは、
複数の太陽エネルギーオプティマイザ及び送信機水平バスにして、前記複数の太陽エネルギーオプティマイザ及び送信機水平バス各々が前記プラス高電圧ＤＣ出力部と、前記マイナス高電圧ＤＣ出力部と、前記複数の太陽エネルギーオプティマイザ及び送信機から選択された別個の複数の太陽エネルギーオプティマイザ及び送信機の共通出力部とを有する複数の太陽エネルギーオプティマイザ及び送信機水平バスと、
複数の太陽エネルギーオプティマイザ及び送信機垂直バスにして、前記複数の太陽エネルギーオプティマイザ及び送信機水平バス各々が前記複数の太陽エネルギーオプティマイザ及び送信機垂直バスの別個の一つに接続される複数の太陽エネルギーオプティマイザ及び送信機垂直バスとを備え、
前記高電圧再生可能エネルギーハーベスティングネットワークは、複数のグリッドインバータパッケージモジュールを有する中央グリッド同期多相調整電流源インバータシステムを備え、
該方法は、前記複数の太陽エネルギーオプティマイザ及び送信機が前記複数の太陽エネルギーオプティマイザ及び送信機水平バスに接続される３次元視覚型バーチャルリアリティディスプレイ環境において前記高電圧再生可能エネルギーハーベスティングネットワークを視覚投入監視する工程と、
前記３次元視覚型バーチャルリアリティディスプレイ環境と通信する、高電圧再生可能エネルギーハーベスティングネットワーク及び中央グリッド同期多相調整電流源インバータシステムを中央制御する工程とを含む方法。
【発明の詳細な説明】
【技術分野】
【０００１】
関連出願に対する相互参照
この出願は、２０１０年１０月５日付け出願の米国仮出願第６１／３８９，８１６号、及び２０１１年５月１２日付け出願の米国仮出願第６１／４８５，３８４号の利益を主張する。各出願は参照によりその全体がここに組み込まれる。
【０００２】
本発明の分野
本発明は、一般に、再生可能エネルギー公益事業規模電力システムに関し、特に、高電圧エネルギーハーベスティング及び変換再生可能エネルギー収集及び変換システム、及び該システムのための視覚監視及び制御システムに関する。
【背景技術】
【０００３】
本明細書で用いる用語「再生可能エネルギー電力システム」は、ソーラーファームもしくは発電所を形成するために多数の相互接続した光電池（光起電性）モジュールを利用するか、又は、ウィンドファームもしくは発電所を形成するために多数の相互接続された風力タービン発電機を利用する公益事業規模（もしくは商用規模）（utility size）電力システムを意味する。
【０００４】
公益事業規模（５〜１００メガワット（ＭＷe）出力能力の範囲）太陽光発電システムは、太陽電池モジュール等の多数の太陽光発電集熱器を備える。これらは、ＤＣ電力を連語ＤＣ―ＡＣインバータに供給し、該インバータはＤＣ電力をＡＣ電力に変換する。
【０００５】
公益事業規模風力発電システムは、多数の電気的に相互接続された風力タービン発電機を備える。風力タービン駆動発電機組立体は、発電機に適切に接続される出力軸を有する風力タービンであり得る。種々のタイプの発電機システムが風力タービンに接続され得る。１つのそのようなシステムは、タイプ４業界指定風力タービン発電機電力システムとして知られている。該システムにおける上記発電機は、ＤＣ−ＡＣインバータに供給される整流出力ＤＣリンクを有する整流器に供給される可変周波数可変電圧出力を有する同期永久磁石発電機である。該インバータ出力電流は、次いで、線路変圧器を通じて変換され、該線路変圧器はインバータ出力電圧レベルをグリッド（格子／送電網）電圧レベルに変換する。
【０００６】
太陽又は風力再生可能エネルギー公益事業規模電力システムのいずれに対しても、該電力システム構成要素は、慣用の住宅向きの又は商用規模の発電所よりも著しく広域にわたって展開され、そのため、電力システムの物理的視覚化及び制御を、慣用規模の発電所に使用される一般的な１ライン中央制御ボードの物理的視覚化及び制御の域を超える挑戦的なものにする。
【発明の概要】
【発明が解決しようとする課題】
【０００７】
中央グリッド同期多相調整電流源インバータシステムと組み合わされた高電圧再生可能エネルギーハーベスティングネットワークのための監視及び制御システムを提供することが本発明の１つの目的である。ここで、再生可能エネルギーハーベスティングは、ハーベスティングネットワーク内で最適に電力配分される。
【０００８】
中央グリッド同期多相調整電流源インバータシステム及び公益事業規模再生可能エネルギーシステムのための視覚監視及び制御システムと組み合わされた高電圧エネルギーハーベスティングを提供することが本発明の別の目的である。
【０００９】
再生可能エネルギー公益事業規模電力システムのための電力の収集、変換、監視及び制御システムを提供することが本発明の別の目的である。再生可能エネルギー公益事業規模電力システムは、該電力システムのオペレータによる該電力システムの中央集中型の入力及び出力制御及び監視のための３次元視覚型バーチャルリアリティディスプレイ環境を含むことができる。
【課題を解決するための手段】
【００１０】
１側面において、本発明は、再生可能エネルギー公益事業規模電力システムである。該システムは、高電圧再生可能エネルギーハーベスティングネットワーク及び中央グリッド同期多相調整電流源インバータシステムを有する。該高電圧再生可能エネルギーハーベスティングネットワークは、各列がＤＣ出力部を有する複数列の再生可能エネルギー収集器と、該ハーベスティングネットワークの全体にわたって分散された複数の再生可能エネルギ電力オプティマイザとを有する。各再生可能エネルギー電力オプティマイザは、複数列の再生可能エネルギー収集器の少なくとも１つのＤＣ出力部に接続される少なくとも１列のエネルギー収集器列電力オプティマイザ入力部を有する。複数の再生可能エネルギー電力オプティマイザ及び送信機各々は、ＤＣリンクに接続される高電圧ＤＣ出力部を有する。中央グリッド同期多相調整電流源インバータシステムは、ＤＣリンクに接続され、また、高電圧電気グリッド（配電網）に接続可能な複数のグリッドインバータパッケージモジュールを有する。
【００１１】
別の側面において、本発明は、再生可能エネルギー公益事業規模電力システムである。該システムは、高電圧再生可能エネルギーハーベスティングネットワークと、中央グリッド同期多相調整電流源インバータシステムと、高電圧再生可能エネルギーハーベスティングネットワーク及び中央グリッド同期多相調整電流源インバータシステムを監視及び制御するためのバーチャル投入監視システム及び中央制御システムとを有する。高電圧再生可能エネルギーハーベスティングネットワークは、各列がＤＣ出力部を有する複数列の再生可能エネルギー収集器と、複数の再生可能エネルギー電力オプティマイザ及び送信機とを有する。前記複数の再生可能エネルギー電力オプティマイザ及び送信機各々は、複数列の再生可能エネルギー収集器の少なくとも１つのＤＣ出力部に接続される少なくとも１列の電力オプティマイザ入力部を有する。前記複数の再生可能エネルギー電力オプティマイザ及び送信機各々は、ＤＣリンクに接続される高電圧ＤＣ出力部を有する。グリッド同期多相調整電流源インバータシステムは、ＤＣリンクに接続され、複数のグリッドインバータパッケージモジュールを有する。
【００１２】
別の側面において、本発明は、公益事業規模再生可能エネルギーシステムからの再生可能エネルギーを取り入れ、変換し、監視し、かつ制御する方法である。該再生可能エネルギーシステムは、高電圧再生可能エネルギーハーベスティングネットワークを含む。ハーベスティングネットワークは、各列がＤＣ出力部を有する複数列の再生可能エネルギー収集器を含む。ハーベスティングネットワークはまた、複数の再生可能エネルギー電力オプティマイザ及び送信機を含む。前記複数の再生可能エネルギー電力オプティマイザ及び送信機各々は、前記複数列の再生可能エネルギー収集器の少なくとも１つのＤＣ出力部に接続される少なくとも１列の電力オプティマイザ入力部を有する。前記複数の再生可能エネルギー電力オプティマイザ及び送信機各々は、ＤＣリンクに接続される高電圧ＤＣを有する。再生可能エネルギーシステムはまた、中央グリッド同期多相調整電流源インバータシステムを含む。中央グリッド同期多相調整電流源インバータシステムは、ＤＣリンクに接続され、また、複数のグリッドインバータパッケージモジュールを有する。本発明において、高電圧再生可能エネルギーハーベスティングネットワークのバーチャル投入監視は、３次元視覚型バーチャルリアリティディスプレイ環境で実行される。高電圧再生可能エネルギーハーベスティングネットワーク及び中央グリッド同期多相調整電流源インバータシステムは、３次元視覚型バーチャルリアリティディスプレイ環境と通信して中央集中により制御される。
【００１３】
本発明の上記及び他の側面が本明細書及び特許請求の範囲に更に記述される。
【００１４】
本発明を例示する目的で、現在好ましい形態が図面が示される。しかしながら、この発明は図示のまさにその構成及び手段に限定されないことが理解される。
【図面の簡単な説明】
【００１５】
【図１】図１は、太陽エネルギーの収集及び変換のための再生可能エネルギー公益事業規模電力システム、及び該電力システムのための本発明の監視及び制御システムの１例の簡易化した１ラインブロック図である。
【図２】図２は、本発明のいくつかの例で利用される太陽エネルギーオプティマイザ及び送信機の１例の図である。
【図３】図３は、図２に示す太陽エネルギーオプティマイザ及び送信機に利用可能な共鳴ＤＣ−ＤＣコンバータの１例の図である。
【図４】図４は、ＤＣ−ＤＣコンバータの入力に接続される光電池列電圧が低い場合の、図３に示す共鳴ＤＣ−ＤＣコンバータの共鳴付近のインバータ電流の波形を例示する。
【図５】図５は、ＤＣ−ＤＣコンバータの入力に接続される光電池列電圧が高い場合の、図３に示す共鳴ＤＣ−ＤＣコンバータの非共鳴のインバータ電流の波形を例示する。
【図６】図６は、ソーラーファームの太陽電池モジュールと本発明に利用される太陽エネルギーオプティマイザ及び送信機との間の相互接続の１例である。
【図７】図７は、本発明の３次元視覚型バーチャルリアリティディスプレイ環境における１つの３次元視覚表示フレームの簡易化した白黒表現である。
【図８】図８は、風力エネルギーの収集及び変換のための再生可能エネルギー公益事業規模電力システム、及び該電力システムのための本発明の監視及び制御システムの１例の簡易化した１ラインブロック図である。
【発明を実施するための形態】
【００１６】
図１は、太陽エネルギーの収集及び変換のための再生可能エネルギー公益事業規模電力システム、及び該電力システムのための本発明の監視及び制御システムの１例の簡易化したワンライン（単線結線）ブロック図である。この例において、高電圧太陽光発電エネルギー収集（「ハーベスティング」ともいう）ネットワーク１２と、中央グリッド同期多相調整電流源インバータシステム１４と、随意バーチャル投入監視及び制御システム１６とが存在する。昇圧器１８は、グリッドインバータパッケージ（ＧｒＩＰ）モジュール１４ａ−１４ｄにおけるインバータの出力を、高電圧配電気グリッドから電気的に絶縁させる。
【００１７】
随意高電圧太陽光発電エネルギーハーベスティングネットワーク及び中央グリッド同期多相調整電流源インバータシステムは、米国特許出願第１２／５４２，８９１（公開第２００９／０３０２６８６号として公開）に更に記述される。この出願は、参照によりその全体がここに組み込まれる。
【００１８】
バーチャル投入監視及び制御システムは、バーチャル投入設備ウォッチドッグ（ＶＩＥＷ）モジュール１６ａと中央制御モジュール１６ｂとを備える。
【００１９】
図１の高電圧太陽光発電エネルギー収集ネットワーク１２のいくつかの例で利用される太陽エネルギーオプティマイザ及び送信機（ＳＰＯＴ）の１例が図２に示される。図２のＳＰＯＴ２０は、複数（この例では４つ）のＤＣ−ＤＣコンバータ２０ａと、プロセッサ２０ｂ（この例ではマイクロプロセッサ（μＰ）として表される）と、トランシーバ２０ｃ（この例では、送信及び受信アンテナ２０ｃ’を有する無線周波数（ＲＦ）トランシーバとして表される）とを備える。
【００２０】
図２の４つのＤＣ−ＤＣコンバータは、可変光電池「列」電圧及び電流を並列固定高電圧（例えば１，２５０ボルトＤＣ）に変換する。この例において、図２に示すように、コンバータのうちの２つのプラス（＋）出力が並列に共に接続され、他の２つのコンバータのマイナス（−）出力が並列に共に接続され、共通（ニュートラル）回路を形成する。該４つのコンバータの残りの４つの出力は、図２に示すように一般に共に接続される。
コンバータの並列のプラス及びマイナス出力は、ＤＣリンク（図１及び図２におけるＤＣリンクバス２２として特定される）に直列で高ＤＣ電圧にて（例えば２．５ ｋＶ ＤＣ）で接続される（締め付けられる）。該高ＤＣ電圧は各ＤＣ−ＤＣコンバータの出力電圧（例えば１．２５ｋＶ ＤＣ）の２倍である。図１のワンラインダイアグラムを再び参照して、複数の太陽エネルギーオプティマイザ及び送信機（図２に示す）が複数の太陽光電池モジュール３０に接続され得る。
【００２１】
図３は、図２に示す太陽エネルギーオプティマイザ及び送信機２０で利用可能なＤＣ−ＤＣコンバータの概略的な１例である。各ＤＣ−ＤＣコンバータは、２つの区域からなる。すなわち、直列共鳴フルブリッジインバータ２０ａ’と組合わせ出力フィルタ及び整流器区域２０ａ”である。これらは、高周波（１０ｋＨｚ〜２０ｋＨｚの範囲）変圧器Ｔｘを介して互いに絶縁される。端子１及び２での入力光電池列源から引き込まれる電力は、インバータの動作周波数によって変化する。入力電流（Ｉｄｃ）及び電圧（Ｅ）は、図２におけるプロセッサ２０ｂにより測定される。該プロセッサは、ＤＣ−ＤＣコンバータが最大電力点値で動作するようにインバータの動作周波数を調整する。該コンバータの入力インバータの動作周波数は、共鳴付近で変化する。該共鳴は、直列共鳴ループを形成する図３におけるインダクタＬタンク及びコンデンサＣタンクの値により定義される。周波数が共鳴点に近付くにつれ、インバータは、入力光電池列からより多くの電流を引き込み、光電池列電圧を低下させる。下記に更に記述されるように、プロセッサ２０ｂの機能の１つは、光電池列電圧及び電流の数学的積を最大電力点値に保つことである。図４は、入力光電池列電圧がロー（低）あり得る場合の共鳴付近のインバータ出力電流を例示する。図５は、光電池列電圧がハイ（高）であり得る場合のインバータ電流非共鳴を例示する。
【００２２】
プロセッサ２０ｂは、各ＤＣ−ＤＣコンバータ２０ａに対する入力部で列電圧及び電流を感知するＩ／Ｏ素子と通信するマイクロプロセッサであり得る。該プロセッサは、各コンバータの入力部で列電圧及び電流を監視し、また、最大電力点追跡（ＭＰＰＴ）アルゴリズムのためのコンピュータコードを実行することにより、各太陽光発電モジュール列から最大電力を取り入れるように各コンバータの動作を制御する。例えば、該アルゴリズムは、「ディスターブ及びオブザーブ」サブルーチンを含み得、これにより、ＤＣ−ＤＣコンバータの動作周波数が少量だけ変化する。ＭＰＰＴアルゴリズムは、取り入れられた電力が周波数の乱れにより増加したか低下したかを決定する。
【００２３】
トランシーバ２０ｃは、本発明の特定の例で使用される場合、電力システムデータをバーチャル投入監視及び制御システムに送信する。該電力システムデータは、次のものを含む。すなわち、列電圧の大きさ（電圧振幅）、列電流の大きさ（強さ）、列電力の大きさ、ＳＰＯＴ出力電流の大きさ、ＳＰＯＴ動作温度、及びＳＰＯＴ動作状態データ、例えば、入力光電池列のすべてからの完全最大出力電力で、又は入力光電池列の少なくともいくつかからの限定された最大入力電力でＳＰＯＴが動作しているか否か等である。トランシーバ２０ｃは、電力システムデータを受信し、該データは、電力システム限定コマンドデータ及び電力システムＯＮ又はＯＦＦ状態又は制御を含むことができる。電力システムＯＮ又はＯＦＦ状態は、例えば、特定のＤＣ−ＤＣコンバータが作動的発振状態（電力システムＯＮ）にあるか否かを検出することにより、決定され得る。遠隔電力システムＯＮ又はＯＦＦコマンド（中央制御モジュール）は、ＳＰＯＴのメンテナンスを助長するために使用され得る。トランシーバ２０ｃが送信及び受信する１つの方法は、メッシュ無線システムを介することである。
【００２４】
図２に示す太陽エネルギーオプティマイザ及び送信機を利用する本発明の例において、各光電池列３１は、２０〜２５光電池モジュールを備えることができる。各列の出力は、日照、遮光変化、環境悪化等の太陽エネルギーシステムパラメータにより、一般に１〜１０アンペアＤＣ（４００〜１，０００ボルトＤＣにおいて）である。４列入力での各ＳＰＯＴに対する最大ほぼ２５，０００ワットに対し、ほぼ２００〜６，２５０「ワット／入力列」を生み出すため、図２に示すように、４つの太陽電池モジュール列のクラスター（房）が単一のＳＰＯＴに接続され得る。
【００２５】
本発明の太陽エネルギーオプティマイザ及び送信機を利用する再生可能エネルギー公益事業規模電力システムを相互接続する１例が図６に例示される。太陽エネルギーオプティマイザ及び送信機の最大数、例えば２０は、図６に示す各ＳＰＯＴ「水平」バス２１ａ、２１ｂ、２１ｃ．．．２１ｘを共有することができる。例えば、ＳＰＯＴ水平バス２１ａは、該バスに接続された２０の太陽エネルギーオプティマイザ及び送信機２１ａ1〜２１ａ20を有する。これらの相互接続された２０の太陽エネルギーオプティマイザ及び通信機と、これら２０の太陽エネルギーオプティマイザ及び送信機に接続された光電池モジュールは、光電池エネルギーハーべスティングアレイ２１を構成する。該アレイ２１は、図１に図式的に例示される高電圧光電池エネルギー収集ネットワーク１２の１区域を表し、太陽放射から最大５００ｋＷを生み出すことができる。光電池エネルギーハーベスティングアレイ２１は、アレイ２１の２０の太陽エネルギーオプティマイザ及び送信機各々に接続される４（光電池）列の光電池モジュールを備え得る。各光電池列は、直列に接続されたほぼ２０〜２５の光電池モジュールからなる。４光電池列の光電池モジュールの組合せは、ほぼ８０〜１００モジュールからなる光電池「クラスター（房）」として特定され得る。そのため、アレイ２１における２０の太陽エネルギーオプティマイザ及び送信機により、総計１，６００〜２，０００の光電池モジュールがＳＰＯＴ水平バス２１ａに接続される。ＳＰＯＴ水平バス２１ｂ．．．２１ｘ（ここでｘは、光電池収集ネットワーク２３を構成する最後のバス及びアレイを表す変数である。）を含む他の光電池エネルギーハーベスティングアレイ各々も、太陽放射から最大５００ｋＷを生み出すことができる。これら他のアレイの太陽エネルギーオプティマイザ及び送信機に接続される光電池列は図６には示されない。各ＳＰＯＴ水平バスはそれぞれ、ＳＰＯＴ「垂直」バス（図６において２６ａ、２６ｂ、２６ｃ、．．．２６ｘ）に接続され、これらバスは次いで、中央グリッド同期多相調整電流源インバータシステム１４におけるグリッドインバータパッケージモジュール（１４ａ、１４ｂ、１４ｃ及び１４ｄ）に接続される。この実施構成は、太陽エネルギーオプティマイザ及び送信機の各１つに接続される光電池モジュールのアレイが供給する最大１０アンペアＤＣに基づいて、ＳＰＯＴ垂直バス各々を形成する導体の寸法を、２００アンペアＤＣの最大電流容量に限定する。
【００２６】
図１の中央制御モジュール１６ｂは、前記複数の太陽エネルギーオプティマイザ及び送信機、中央グリッド同期多相調整電流源インバータシステムの前記インバータモジュール間で通信するための回路構成を備える。該回路構成は、電力システムデータを送信及び受信するためのものでもある。該電力システムデータの送受信は、例えば、各ＳＰＯＴから送信されたデータを集めること；好ましくは、セキュアイーサネット（登録商標）等のセキュアデータリンク１７（図１に破線で示す）により、グリッドインバータパッケージモジュール１４ａ〜１４ｄと通信すること；本発明の特定の例で使用される場合、例えばＶＩＥＷコンピュータシステムを介して３次元視覚型バーチャルリアリティディスプレイ環境と通信すること；中央インバータシステムから高電圧（ＨＶ）電気グリッド（配電網）へと投入された高電圧電気グリッド電圧を監視すること；ハーベスティング１２システムと変換１４システム間のＤＣリンク２２における電圧を監視すること；各グリッドインバータパッケージモジュールに配送されたセットＤＣ入力電流の大きさを制御すること、ここで、該セットＤＣ入力電流の大きさは、ハーベスティング１２システムにより生じた電流の供給と変換１４システムによる需要とを整合させるように設定される；及び、前記グリッドに投入されたＡＣ電流の位相をＡＣグリッド電圧の位相に対して制御すること、等である。
【００２７】
本発明の１実施形態において、エネルギー変換システム１４は、複数のグリッドインバータパッケージモジュールを備える。４つのグリッドインバータパッケージモジュール１４ａ〜１４ｄが図１及び６のシステム例に示されるが、一般には、グリッドインバータパッケージモジュールの総計は、本発の他のシステムにおいて３〜４０の範囲である。グリッドインバータパッケージモジュールは、以下のための回路構成を含む。すなわち、グリッドインバータパッケージ定格電力（図１の例では２，５００ｋＷ）をＤＣからＡＣに変換すること；グリッドインバータパッケージ動作パラメータを、中央制御モジュール及び３次元視覚型ディスプレイ環境（例えば、ＶＩＥＷコンピュータ）に送信（報告）すること；及び、中央制御モジュールから動作パラメータ、例えば、先の欄に記述したようなセットＤＣ入力電流の大きさの設定値及びグリッドインバータパッケージの出力位相角等を受信すること、である。送信された動作パラメータは、次のものを含むことができる。すなわちグリッドインバータパッケージモジュールへのＤＣ入力電流；グリッドインバータパッケージモジュールからのＡＣ出力位相電流；グリッドインバータパッケージモジュールからのＡＣ出力位相電圧；グリッドインバータパッケージモジュールからのＡＣ出力電力；グリッドインバータパッケージモジュールからの出力周波数；グリッドインバータパッケージモジュール冷却サブシステムにおける冷却液（使用される場合）の温度；及び、選択されたグリッドインバータパッケージ回路構成要素温度、である。
【００２８】
本発明の１例において、バーチャル投入監視システムは、ＶＩＥＷコンピュータシステムを備える３次元視覚型バーチャルリアリティディスプレイ環境である。ＶＩＥＷコンピュータシステムは、ハーベスティングシステム情報を収集し；該収集したハーベスティング情報を、更に後述するように３次元バーチャルリアリティを用いて提示し；かつ、太陽エネルギー再生可能電力システムに対する利用可能な列照射に基づいてグリッドに投入するための電力出力を予測する。
【００２９】
本発明のバーチャル投入監視システムのキー要素は図７に例示され、これは、ＶＩＥＷコンピュータ視覚表示ユニットにおける高電圧太陽光エネルギー収集ネットワークの部分的表示の３次元画像の簡易化した白黒例示である。この例示において、光電池列を構成する光電池モジュール３０は、据え付けられた動的外部環境（例えば、動的リアルタイム雲濃淡の構成要素を含む）に対し視覚化（可視化）される。ＳＰＯＴ２０の入力部に接続された光電池列からの導体９１とＳＰＯＴ２０の出力部が接続されるＤＣリンク２２と共に、ＳＰＯＴ２０の相対的位置が示される。各ＳＰＯＴは、エンクロージャに封入され得る。エンクロージャはほぼ１２ｘ１２ｘ６インチ（３０４．８ｘ３０４．８ｘ１５２．４ｍｍ）であり、図７に示すようにエンクロージャの上面に光電池列に対する４つの接続点があり、また、図７に示すように該ＳＰＯＴエンクロージャの側面のいずれか又はＳＰＯＴエンクロージャの底面に、３つの通過（ＳＰＯＴ水平バスの端部におけるＳＰＯＴを除く）入力及び出力導体（図２に例示される正、負及びニュートラル（共通））がある。光電池モジュールの各光電池クラスターは、１つの構造支持ラック上に取り付けられ得る。該ラックは、該光電池クラスターに関連付けられた太陽エネルギーオプティマイザ及び送信機のための取り付け構造（ラックの下面又は側面のいずれかにおける）としての機能も果たし得る。下記に開示される視覚投入監視システムの色コーディング要素、雲視覚化及び他の表示要素のすべては、３次元視覚型バーチャルリアリティ表示環境の要素としてＶＩＥＷコンピュータ視覚表示ユニット上に設けられた電力システムの３次元画像において成し遂げられる。
【００３０】
太陽エネルギーに対し、本発明のバーチャル投入監視及び制御システムの２つの典型的な例が与えられる。１つの例は、固定傾斜トラッキング光電池アレイを使用し、他方は、図１に台座３２で例示されるような２軸トラッキング光電池アレイを使用する。ソーラーファームサイトの正確な３次元描写がＶＩＥＷコンピュータ表示モデルに組み込まれる。ＶＩＥＷコンピュータ表示モデルのオペレータの視点（ビュー）が、３次元空間中を制約なしに移動しているバーチャルカメラビューから、ビデオモニター等の適切なコンピュータ視覚出力装置に提供され得る。オペレータは、ハンドヘルドコントローラ、ジョイスティック又はトラックボール等の適切なコンピュータ入力装置を介して、３次元空間を通るカメラの運動を制御する。運動は光電池アレイの全体にわたってあり得、また、随意的に、ソーラーファームの個々の構成要素の事前に設定された３次元空間トラックに与えられ得る。
【００３１】
ソーラーファームにおける個々の光電池列の電力出力は、ＶＩＥＷコンピュータ視覚表示ユニットに視覚化され得る。光電池列各々は、該列を制御するＳＰＯＴにより参照され得る。ＳＰＯＴは、その関連する列のパフォーマンスデータを中央制御モジュールに伝達する。ソーラーファームに対する太陽の朝から晩までの日光の変化は、光電池モジュールに対して変化する日照レベルを与えることができ、常に日照に垂直である２軸トラッカー（もし使用される場合）が向く方向に影響を及ぼす。本発明のバーチャル投入監視システムの１例において、電力値の大きさ、電流値の大きさ及び電圧値の大きさは、ＶＩＥＷコンピュータ視覚表示ユニットにおける電力システム構成要素（例えば、光電池モジュール、太陽エネルギーオプティマイザ及び送信機、相互接続電気導体、グリッドインバータパッケージモジュールに関連したスイッチング構成要素等）の画像に対する色の強さの適切な範囲で表される。色の強さは、該電力システム構成要素に関連した電力、電流及び電圧の大きさの関数である。
【００３２】
本発明の１例において、モジュールの光電池列の公称（名目もしくは定格）出力の色コーディングは、連続的色スペクトル（範囲）の濃淡の度合い（影）で成し遂げられる。該スペクトルは、フルパワーで動作する列に対する青の明るい濃淡から、フルパワー未満に対する青より暗い濃淡、最終的には、ゼロパワーを発生させている（もしくは電力を生んでいない）機能的列に対する黒まで及び得る。色の移行は、公称電力出力に直線的に関連し得る。機器故障により電力を生まない列がもしあれば、赤で視覚的に表示され、ゼロパワーを発生させている（もしくは電力を生んでいない）正常の列からそれらを区別する。電力システム電気導体は、それらを流れる電流の大きさを表す緑の濃淡で表示され得る。明るい緑はより高い電流レベルを表し、より暗い緑はより低い電流値を表す。誤動作又は故障状態にある導体は赤で示され得る。各ＳＰＯＴに対するエンクロージャは、黄色の濃淡で表示され得る。より高い電流値は明るい黄色で表され、より低い電流値はより暗い黄色で表される。誤作動又は故障状態のＳＰＯＴエンクロージャは赤で示され得る。インバータ、変圧器、グリッド開閉装置及び他の構成要素は自然色で視覚的に表示され得る。動的メーターグラフィックアイコンが、適切な単位、例えばキロワットでのリアルタイム総発電量の表示と共に、視覚ディスプレイの適切な位置（例えば、視覚ディスプレイの隅）に位置付けられ得る。オペレータが制御可能な視覚表示ポインティングアイコンは、システム構成要素によって生じた電力出力及びエネルギーの詳細情報を、メーターグラフィックアイコンにおいて固有識別子、例えば該構成要素に対する数字等と共に視覚的に表示するため、オペレータによって用いられ得る。
【００３３】
バーチャル投入監視システムにおいて、雲の画像が、光電池パネルの表面に該雲が作り出す影から再現（再構成）され得る。該影は、ソーラーファームのある区画から取り入れられる光電池電力の可変的な縮小によって検出される。
【００３４】
該システムは、該サイト上の雲運動パラメータ（雲方向及び速度）に基づき、近い未来（例えば、リアルタイムの現在から１０分後）における該システムの電力出力を視覚的に表示する予測アルゴリズムの実行を含むことができる。
【００３５】
本発明の１例モデルにおいて、視覚化は、ＶＩＥＷコンピュータ視覚表示ユニットにおける専用視覚層で成し遂げられ得る。これにより、設備は活性化され得（例えば、透明に作られた光電池モジュール）、また、電力システムの種々のステージが選択したディスプレイ層をオン又はオフすることにより目立たせられ得る。
【００３６】
図８は、風力エネルギーの収集及び変換のための再生可能エネルギー公益事業規模電力システム、及び該電力システムのための本発明の監視及び制御システムの１例の簡易なワンラインブロック図である。永久磁石同期発電機（ＳＧ）５０によって作り出された可変周波数ＡＣ電力は、ＡＣ−ＤＣコンバータ５１によって整流され、次いで、風力エネルギーオプティマイザ及び送信機（ＷＰＯＴ）４０の入力部に供給される。風力エネルギーオプティマイザ及び送信機は、風力タービンを最大電力点値で動作させるため、最適な負荷を前記同期発電機に供給する。風力エネルギーオプティマイザ及び送信機４０は、これが典型的に（他を除外するものではなく）、太陽エネルギーオプティマイザ及び送信機に対する図２に示す４つのＤＣ−ＤＣコンバータに代えて単一のＤＣ−ＤＣコンバータ（例えば図３に示される）を利用する点を除き、上述した太陽エネルギーオプティマイザ及び送信機と類似する。１つ又は複数の風力エネルギーオプティマイザ及び変換器の出力部は、電圧ＤＣリンク４２を介して中央グリッド同期多相調整電流源インバータシステム１４に接続される。ここで、該システムは、３つ以上のグリッドインバータパッケージモジュール、例えば、図８に示される４つのそのようなモジュール１４ａ〜１４ｄを利用する。
【００３７】
バーチャル投入監視システムは、本発明の特定の例に使用される場合、ＶＩＥＷコンピュータ表示ユニットにウインドファームの稼働を視覚的に描くため、１つ又は複数の風力エネルギー オプティマイザ及び変換器及びグリッドインバータパッケージモジュールと通信する。該３次元視覚型表示環境はウインドファームの３次元地形層を含む。一般的な風力タービングラフィックが使用可能である。タービンの数に応じて、グリッドインバータパッケージの適切な数が選択される。各タービンはほぼ１.５ＭＷの出力を有し、各グリッドインバータパッケージは、２．５メガワット（ＭＷ）の電力定格を有する。バーチャル投入監視システムの視覚化は、グリッドインバータパッケージが最前面にあり、かつ該インバータシステムに対するタービン及び接続部が明確に見えるように、位置合わせされ得る。変圧器は、インバータが内部に配置される建物の外面における該インバータの隣に位置付けられ得る。風力タービンの出力の視覚化は、３次元視覚型表示環境上に層状にされた数値又は図形での少なくともリアルタイム電力出力及び随意的履歴データを有する電力メーターグラフィックアイコンであり得る。
【００３８】
太陽エネルギーシステムのための上述したバーチャル投入システムの構成要素は、該構成要素が風力エネルギーではなく太陽エネルギーに一意的に関連した構成要素又は機能に特に対応している場合を除き、風力エネルギーシステムのためのバーチャル投入システムにも適用される。
【００３９】
本発明は好ましい例及び実施形態に関連して記述された。明確に述べたものとは別に、均等、代替及び変更が可能であり、本発明の範囲内にある。
【符号の説明】
【００４０】
１２  高電圧太陽光発電エネルギー収集ネットワーク
１４  中央グリッド同期多相調整電流源インバータシステム
１４ａ−１４ｄ  グリッドインバータパッケージ（ＧｒＩＰ）モジュール
１６  随意バーチャル投入監視及び制御システム
１６ａ  バーチャル投入設備ウォッチドッグ（ＶＩＥＷ）モジュール
１６ｂ  中央制御モジュール
１７  セキュアデータリンク
１８  昇圧器
２０  太陽エネルギーオプティマイザ及び送信機（ＳＰＯＴ）
２０ａ  ＤＣ−ＤＣコンバータ
２０ｂ  プロセッサ
２０ｃ  トランシーバ
２０ｃ’  送信及び受信アンテナ
２２  ＤＣリンク
３０  太陽光電池モジュール
３１  光電池列
３２  台座
【図２】
0006029587.tif 000002
【図３】
0006029587.tif 000003
【図４】
0006029587.tif 000004
【図５】
0006029587.tif 000005
【図７】
0006029587.tif 000006
【図８】
0006029587.tif 000007
【図１】
0006029587.tif 000008
【図６】
0006029587.tif 000009